(57)【要約】【課題】地震に伴う広域災害時に、エレベータの現状を利用者に報知することの確実性を向上させることができるエレベータの監視装置を提供すること。【解決手段】エレベータ１を診断して得た情報を通信回線６０を介して監視センタ５０に送信する通信装置４０を備えるエレベータの監視装置１０において、地震時管制運転が行われたことによって乗かご３が停止されたか否かを判定する停止判定部２０ａと、乗かご３が停止されたと停止判定部２０ａにより判定された後に、乗かご３の運転再開が可能か否かを診断するための診断運転をエレベータ制御装置７に指令する診断運転指令部２０ｃと、診断運転中である旨の表示をエレベータ制御装置７に指令する表示指令部２０ｇとを備え、これにより、監視センタ５０からの指令を必要とすることなく、エレベータ１の表示装置３ａ，９ａに診断運転中である旨を表示させる。【選択図】図１
2015074540.tif 000002
【特許請求の範囲】
【請求項１】
予め設定された震度以上の揺れが地震計によって検出されたことに基づいて乗かごを最寄階に停止させる地震時管制運転を行うとともに、エレベータの状態情報を表示する表示装置を備えるエレベータに適用され、このエレベータを診断して得た情報を通信回線を介して監視センタに送信する通信装置を備えるエレベータの監視装置において、
地震時管制運転が行われたことによって乗かごが停止されたか否かを判定する停止判定部と、
乗かごが停止されたと前記停止判定部により判定された後に、乗かごの運転再開が可能か否かを診断するための診断運転をエレベータに指令する診断運転指令部と、
診断運転中である旨の表示を、エレベータに指令する表示指令部と
を備えることを特徴とするエレベータの監視装置。
【請求項２】
請求項１に記載のエレベータの監視装置において、
診断の残時間を算出する残時間算出部とを備え、
前記表示指令部は、前記残時間算出部により算出された残時間の表示を、エレベータに指令する
ことを特徴とするエレベータの監視装置。
【請求項３】
請求項１に記載のエレベータの監視装置において、
エレベータに設けられた地震計により検出された揺れの震度を判定する震度判定部と、
前記震度判定部により判定された震度に基づき、診断運転中に行う診断内容を、予め用意された複数種類の診断項目のうちから選択して決定する診断内容決定部と、
診断の残時間を算出する残時間算出部とを備え、
前記表示指令部は、前記残時間算出部により算出された残時間の表示を、エレベータに指令する
ことを特徴とするエレベータの監視装置。
【請求項４】
請求項３に記載のエレベータの監視装置において、
前記所要時間は、平時に計時されたものである
ことを特徴とするエレベータの監視装置。
【請求項５】
請求項１〜請求項４のいずれか１項に記載のエレベータの監視装置において、
診断運転中にエレベータを診断して得た異常情報を記憶する記憶部と、
前記通信装置と前記監視センタとが通信可能な状態において、前記記憶部に記憶された異常情報を、前記監視センタを送信先として前記通信装置に送信させる通報処理部とを備える
ことを特徴とするエレベータの監視装置。
【発明の詳細な説明】
【技術分野】
【０００１】
本発明は、エレベータを診断して得た情報を通信回線を介して監視センタに送信するエレベータの監視装置に関する。
【背景技術】
【０００２】
特許文献１には、エレベータのコンディション情報報知システムが開示されている。このエレベータのコンディション情報報知システムは、各階の乗場、エレベータ制御装置、監視装置、電話通信回線，ＬＡＮやＷＡＮなどの通信ネットワークに接続される基地局、保守サービスセンタ７を備える。エレベータの乗場操作パネルには、エレベータのコンディション情報を表示する表示部が備えられている。
【０００３】
監視装置は、エレベータ制御装置から伝送されてくる異常通報を通信ネットワークを介して保守サービスセンタに伝送する。また、監視装置は、保守サービスセンタから送られてくるコンディション情報をエレベータ制御装置に中継する。
【０００４】
保守サービスセンタは、エレベータ制御装置との連携のもとに監視装置から、例えばあるエレベータ号機が「故障中」であるとか、「地震停止中」であるなどの異常情報を受けることがある。このような場合、保守サービスセンタは、監視装置からの異常情報に基づき、コンディション情報を読み出し、監視装置経由でエレベータ制御装置に送信する。
【先行技術文献】
【特許文献】
【０００５】
【特許文献１】特開２０１１−１９００９７号公報
【発明の概要】
【発明が解決しようとする課題】
【０００６】
特許文献１に開示されたエレベータのコンディション情報報知システムにおいて、乗場操作パネルの表示部に表示されるコンディション情報は、保守サービスセンタから通信ネットワークを介して監視装置に送られるものである。その通信ネットワーク（通信回線）は、地震に伴う広域災害時に輻輳が生じたり通信規制が掛けられたりすることで、利用が困難になり得るものである。したがって、特許文献１に開示されたエレベータのコンディション情報報知システムは、地震に伴う広域災害時に、エレベータの現状を利用者に報知できなくなるおそれがある。
【０００７】
本発明は前述の事情を考慮してなされたものであり、その目的は、地震に伴う広域災害時に、エレベータの現状を利用者に報知することの確実性を向上させることができるエレベータの監視装置を提供することにある。
【課題を解決するための手段】
【０００８】
前述の目的を達成するために本発明に係るエレベータの監視装置は、予め設定された震度以上の揺れが地震計によって検出されたことに基づいて乗かごを最寄階に停止させる地震時管制運転を行うとともに、エレベータの状態情報を表示する表示装置を備えるエレベータに適用され、このエレベータを診断して得た情報を通信回線を介して監視センタに送信する通信装置を備えるエレベータの監視装置において、地震時管制運転が行われたことによって乗かごが停止されたか否かを判定する停止判定部と、乗かごが停止されたと前記停止判定部により判定された後に、乗かごの運転再開が可能か否かを診断するための診断運転をエレベータに指令する診断運転指令部と、診断運転中である旨の表示を、エレベータに指令する表示指令部とを備えることを特徴とする。
【発明の効果】
【０００９】
本発明に係るエレベータの監視装置は、地震時管制運転が行われたことによって乗かごが停止された後に診断運転が行われる場合に、診断運転中である旨の表示をエレベータに指令するので、監視センタからの指令を必要とすることなく、エレベータに診断運転中である旨を表示させることができる。これにより、本発明に係るエレベータの監視装置は、地震に伴う広域災害時のエレベータの現状として診断運転中であることを、利用者に報知することの確実性を向上させることができる。
【図面の簡単な説明】
【００１０】
【図１】本発明の第１実施形態に係るエレベータの監視装置のブロック図である。
【図２】図１に示した監視装置で扱われる震度、診断の所要時間、診断項目との関係を示す図である。
【図３】図１に示した監視装置により行われる処理の流れを示すフローチャートである。
【図４】図１に示した監視装置により行われる処理の流れを示すフローチャートである。
【図５】本発明の第２実施形態に係るエレベータの監視装置のブロック図である。
【図６】図５に示した監視装置で扱われる震度、診断の所要時間、診断項目との関係を示す図である。
【図７】図５に示した監視装置により行われる処理の流れを示すフローチャートである。
【発明を実施するための形態】
【００１１】
本発明の第１，第２実施形態に係るエレベータの監視装置について説明する。
【００１２】
第１，第２実施形態に係るエレベータの監視装置は、図１に示すエレベータ１に適用されるものである。そのエレベータ１は、昇降路２と、この昇降路２内に配置される乗かご３およびカウンタウェイト４と、乗かご３とカウンタウェイト４を昇降路２内に吊り下げるワイヤーロープ５と、このワイヤーロープ５を巻き上げる巻上機６と、この巻上機６の回転を制動するブレーキ（図示してない）と、巻上機７およびブレーキ等のエレベータ１の各部を制御するエレベータ制御装置７と、昇降路２内に設けられた地震計８と、乗かご３の乗場９とを備える。
【００１３】
エレベータ１には、このエレベータ１の各部の状態を検出する複数の検出器（図示してない）、および、かご内操作盤（図示してない）、乗場操作盤（図示してない）が設けられている。それら検出器および操作盤からの信号（電気信号）に基づいて、エレベータ制御装置７は乗かご３を昇降させたり停止させたり、かごドア（図示してない）を開いたり閉じたりさせる。
【００１４】
乗かご３内には、表示装置３ａと、この表示装置３ａを制御する表示制御装置３ｂとが設けられている。乗場９には、表示装置９ａと、この表示装置９ａを制御する表示制御装置９ｂとが設けられている。表示制御装置３ｂはエレベータ制御装置７からの指令に基づいて表示装置３ａを制御する。表示制御装置９ｂはエレベータ制御装置７からの指令に基づいて表示装置９ａを制御する。
【００１５】
地震計８は、震度３以上の地震の揺れ（主揺動）を検出した場合に限って、その地震の震度に相応する地震検出信号（電気信号）をエレベータ制御装置７に送信する。エレベータ制御装置７は、地震計８から地震検出信号が送られてきたことに基づき、乗かご３を最寄階に停止させてかごドアおよび乗場ドアを開ける地震時管制運転を行う。
【００１６】
［第１実施形態］
第１実施形態に係るエレベータの監視装置について、図１〜図３を用いて説明する。
【００１７】
第１実施形態に係るエレベータの監視装置は図１に示す監視装置１０である。この監視装置１０は、ＣＰＵ、ＲＯＭ、ＲＡＭによって処理を行う処理装置２０と、外部記憶装置３０（本発明における記憶部に相当）と、通信装置４０とを備える。
【００１８】
通信装置４０は、エレベータ１の状態に係る情報、すなわち、エレベータに設けられた検出器からの信号に基づく情報、かご内操作盤からの信号に基づく情報、乗場操作盤からの信号に基づく情報をエレベータ制御装置７から受け取るものである。また、通信装置４０は、通信回線６０を介して監視センタ５０と通信を行うものである。監視センタ５０はエレベータの技術者の出動拠点（図示してない）と通信可能であり、通信装置４０から得た情報に応じて、エレベータ１への保守員の派遣を出動拠点に要請するものである。
【００１９】
処理装置２０は、コンピュータプログラムにより設定された処理を行う機能部として、停止判定部２０ａ、震度判定部２０ｂ、診断運転指令部２０ｃ、診断部２０ｄ、進捗度判定部２０ｅ、残時間算出部２０ｆ、表示指令部２０ｇ、仮復旧運転指令部２０ｈ、通報処理部２０ｊとを備える。これらの機能部について次に説明していく。
【００２０】
停止判定部２０ａは、地震計８により検出された地震の震度の情報（以下適宜「震度情報」という）と、乗かご３の停止を示す情報（以下適宜「停止情報」という）とがエレベータ制御装置７から通信装置４０に送られてきたことに基づき、地震時管制運転により乗かご３の停止状態が所定時間保持されたか否かを判定する。具体的には、停止判定部２０ａは、エレベータ制御装置７から通信装置４０に震度情報が送られてきた後に、エレベータ制御装置７から通信装置４０に停止情報が送られてきたことを、地震時管制運転により乗かご３が最寄階に停止したと判定するとともに、その後に所定時間が経過したか否かを判定する。ここで、所定時間とは、地震管制運転により乗かご３が最寄階に停止してから乗客が乗かご３から降りるのに十分な時間として予め定められている。
【００２１】
震度判定部２０ｂは、エレベータ制御装置７から通信装置４０に送信されてきた震度情報に基づき、地震計８により検出された地震の震度が５弱以下であるか否かを判定するものである。
【００２２】
診断運転指令部２０ｃは、地震時管制運転により乗かご３の停止状態が所定時間保持されたと停止判定部２０ａにより判定されたタイミングで、乗かご３の運転再開が可能か否かを診断するための診断運転を、通信装置４０を介してエレベータ制御装置７に指令するものである。
【００２３】
外部記憶装置３０には、震度、診断の所要時間、診断項目との関係が、例えば図２に示すテーブル３０ａの形で予め記憶されている。このテーブル３０ａにおいて、震度３〜５弱に対しては、診断の所要時間６０分と、６種類の診断項目Ｃ１〜Ｃ６とが関連付けられていて、震度５強以上に対しては診断運転不可が関連付けられている。診断項目Ｃ１〜Ｃ６は乗かご３の運転再開が可能か否かを診断するためのものであり、例えば、診断項目Ｃ１はワイヤーロープ５に係る診断項目であり、診断項目Ｃ２はカウンタウェイト４に係る診断項目であり、診断項目Ｃ３はブレーキに係る診断項目である。診断項目Ｃ１〜Ｃ３のそれぞれに係る診断の所要時間は１０分であり、診断項目Ｃ４に係る診断の所要時間は５分であり、診断項目Ｃ５，Ｃ６のそれぞれに係る診断の所要時間は１５分である。診断の所要時間である６０分は、診断項目Ｃ１〜Ｃ６のそれぞれに係る診断の所要時間を合計したものである。なお、診断項目Ｃ１〜Ｃ６のそれぞれに係る診断の所要時間は、平時に計時されたものである。
【００２４】
診断部２０ｄは、診断運転指令部２０ｃにより診断運転がエレベータ制御装置７に指令された後に、エレベータ制御装置７から通信装置４０に送信されてきたエレベータの状態に係る情報に基づき、乗かご３の運転再開が可能か否かのエレベータ１の診断を行うものである。診断部２０ｄは、診断項目Ｃ１〜Ｃ６のそれぞれに係る診断を順次行い、それら診断項目Ｃ１〜Ｃ６のそれぞれに係る診断結果が全て正常であることを乗かご３の運転再開が可能であると診断し、診断項目Ｃ１〜Ｃ６のそれぞれに係る診断結果のいずれか１つでも異常であることを、乗かご３の運転再開が不可であると診断する。乗かご３の運転再開とはエレベータ１の仮復旧を意味する。技術者による保守診断を経た後にエレベータ１は本復旧されることになる。
【００２５】
進捗度判定部２０ｅは、診断の進捗度を算出するものである。具体的には、進捗度判定部２０ｅは、診断項目Ｃ１〜Ｃ６のうちの１個目の診断項目Ｃ１に係る診断結果が正常であること基づき診断の進捗度として１／６を算出し、診断項目Ｃ１〜Ｃ６のうちの２個目の診断項目Ｃ２に係る診断結果が正常であることに基づき診断の進捗度として２／６を算出し、診断項目Ｃ１〜Ｃ６のうちの３個目の診断項目Ｃ３に係る診断結果が正常であることに基づき診断の進捗度として３／６を算出し、診断項目Ｃ１〜Ｃ６のうちの４個目の診断項目Ｃ４に係る診断結果が正常であることに基づき診断の進捗度として４／６を算出し、診断項目Ｃ１〜Ｃ６のうちの５個目の診断項目Ｃ５に係る診断結果が正常であることに基づき診断の進捗度として５／６を算出し、診断項目Ｃ１〜Ｃ６のうちの６個目の診断項目Ｃ６に係る診断結果が正常であることに基づき診断の進捗度として６／６を算出する。
【００２６】
また、進捗度判定部２０ｅは、診断が終了したか否かを進捗度に基づいて判定するものであり、具体的には、進捗度が進捗度６／６であることを診断が終了したと判定し、進捗度が進捗度５／６以下であることを診断が終了してないと判定する。
【００２７】
残時間算出部２０ｆは、診断運転指令部２０ｃにより診断運転がエレベータ制御装置７に指令された時点からの経過時間を計時するとともに、その経過時間と、外部記憶装置３０に記憶された診断の所要時間（６０分）とに基づき、診断の残時間を算出するものである。
【００２８】
表示指令部２０ｇは、地震計８により検出された地震の震度が５弱以下であると震度判定部２０ｂにより判定されたことに基づき、診断運転中である旨の表示を、通信装置４０を介してエレベータ制御装置７に指令するものである。また、表示指令部２０ｇは、進捗度判定部２０ｅにより算出された診断の進捗度の表示を、通信装置４０を介してエレベータ制御装置７に指令するものである。また、表示指令部２０ｇは、残時間算出部２０ｆにより算出された診断の残時間の表示を、通信装置４０を介してエレベータ制御装置７に送信するものである。また、表示指令部２０ｇは、震度判定部２０ｂによって震度５弱以下ではない（震度５強以上である）と判定されたことに基づき、または、診断部２０ｄによって運転再開が不可であると診断されたことに基づき、技術者の派遣を要請中である旨の表示を、通信装置４０を介してエレベータ制御装置７に指令するものである。また、表示指令部２０ｇは、診断部２０ｄによって運転再開が可能と診断されたことに基づき、仮復旧運転中である旨の表示を、通信装置４０を介してエレベータ制御装置７に指令する。
【００２９】
仮復旧運転指令部２０ｈは、乗かご３の運転再開が可能と診断部２０ｄにより診断されたことに基づき、仮復旧運転を通信装置４０を介してエレベータ制御装置７に指令するものである。
【００３０】
運転休止指令部２０ｉは、地震計８により検出された地震の震度が５弱以下ではない（５強以上である）と震度判定部２０ｂにより判定されたことに基づき、または、乗かご３の運転再開が不可であると診断部２０ｄによって診断されたことに基づき、乗かご３の運転休止を、通信装置４０を介してエレベータ制御装置７に指令するものである。
【００３１】
通報処理部２０ｊは、地震計８により検出された地震の震度が５強以上であると震度判定部２０ｂによって判定されたことに基づき、震度５強以上の地震により仮復旧が不可である旨の仮復旧不可情報を外部記憶装置３０に記憶させた後、通信装置４０を介した監視センタ５０との通信が可能であるか否かの判定を行い、通信が可能であると判定した場合に、その仮復旧不可情報を、監視センタ５０を送信先として通信装置４０に送信させるものである。また、通報処理部２０ｊは、乗かご３の運転再開が不可であると診断部２０ｄによって診断されたときに、診断項目Ｃ１〜Ｃ６のいずれに係る診断結果が異常であったかを示す異常情報を含む仮復旧不可情報を外部記憶装置３０に記憶させた後、通信装置４０を介した監視センタ５０との通信が可能であるか否かの判定を行い、通信が可能であると判定した場合に、その仮復旧不可情報を、監視センタ５０を送信先として通信装置４０に送信させるものである。
【００３２】
このように構成された第１実施形態に係るエレベータの監視装置１０は、図３に示す処理を行う。
【００３３】
図３に示すルーチンは、エレベータ制御装置７からの震度情報が通信装置４０に受信されたことを契機に開始される。
【００３４】
はじめに、ステップＳ１において停止判定部２０ａは、エレベータ制御装置７から通信装置４０に送られてきた震度情報および停止情報に基づいて、乗かご３が停止したか否かの判定を行う。この判定は、地震時管制運転により乗かご３が最寄階に停止するまで繰り返されることになる。
【００３５】
ステップＳ１において乗かご３が停止したと判定した後（ステップＳ１でＹＥＳ）、ステップＳ２において停止判定部２０ａは、所定時間が経過するまで、所定時間が経過したか否かの判定を繰り返す。
【００３６】
ステップＳ２において所定時間が経過したと停止判定部２０ａにより判定されると、ルーチンはステップＳ３に進み、このステップＳ３において震度判定部２０ｂが、震度情報に基づき、地震計８により検出された地震の震度が５弱以下であるか否かの判定を行う。
【００３７】
ステップＳ３において地震の震度が５弱以下であると震度判定部２０ｂにより判定された場合（ステップＳ３でＹＥＳの場合）、ステップＳ４において表示指令部２０ｇは診断運転中である旨の表示、および、診断の所要時間の表示を、通信装置４０を介してエレベータ制御装置７に指令する。エレベータ制御装置７は、診断運転中である旨の表示の指令、および、診断の所要時間の表示の指令を、表示制御装置３ｂ，９ｂに送信する。これにより、表示制御装置３ｂは乗かご３の表示装置３ａに診断運転中である旨、および、診断の所要時間を表示させ、表示制御装置９ｂは乗場９の表示装置９ａに診断運転中である旨、および、診断の所要時間を表示させる。
【００３８】
ステップＳ５において診断運転指令部２０ｃは、診断運転を、通信装置４０を介してエレベータ制御装置７に指令する。
【００３９】
次に、ステップＳ６において診断部２０ｄは、エレベータ制御装置７から通信装置４０に送られてくるエレベータの状態に係る情報に基づいて、診断項目Ｃ１〜Ｃ６のうちの１個目の診断項目Ｃ１に係る診断を実施する。この診断の結果が正常である場合（ステップＳ７でＹＥＳの場合）、ステップＳ８において進捗度判定部２０ｅは診断の進捗度として１／６を算出する。次に、ステップＳ９において進捗度判定部２０ｅは、進捗度が６／６に達したか否かに基づいて、診断が終了したか否かの判定を行う。今回は進捗度が１／６であるので、進捗度判定部２０ｅは、診断が終了してないと判定する（ステップＳ９でＮＯ）。次に、ステップＳ１０において表示指令部２０ｇは、進捗度判定部２０ｅにより算出された診断の進捗度（１／６）の表示を、通信装置４０を介してエレベータ制御装置７に指令する。エレベータ制御装置７は、診断の進捗度（１／６）の表示の指令を、表示制御装置３ｂ，９ｂに送信する。これにより、表示制御装置３ｂは乗かご３の表示装置３ａに、診断の進捗度（１／６）を表示させ、表示制御装置９ｂは乗場９の表示装置９ａに診断の進捗度（１／６）を表示させる。
【００４０】
ステップＳ１０の後、ルーチンは２回目のステップＳ６に進む。この２回目のステップＳ６において診断部２０ｄは、エレベータ制御装置７から通信装置４０に送られてくるエレベータの状態に係る情報に基づいて、診断項目Ｃ１〜Ｃ６のうちの２個目の診断項目Ｃ２に係る診断を実施する。この診断の結果が正常である場合（２回目のステップＳ７でＹＥＳの場合）、２回目のステップＳ８において進捗度判定部２０ｅは診断の進捗度として２／６を算出する。次に、２回目のステップＳ９において進捗度判定部２０ｅは、進捗度が６／６に達したか否かに基づいて、診断が終了したか否かの判定を行う。今回は進捗度が２／６であるので、進捗度判定部２０ｅは、診断が終了してないと判定する（２回目のステップＳ９でＮＯ）。次に、２回目のステップＳ１０において表示指令部２０ｇは、進捗度判定部２０ｅにより算出された診断の進捗度（２／６）の表示を、通信装置４０を介してエレベータ制御装置７に指令する。エレベータ制御装置７は、診断の進捗度（２／６）の表示の指令を、表示制御装置３ｂ，９ｂに送信する。これにより、表示制御装置３ｂは乗かご３の表示装置３ａに、診断の進捗度（２／６）を表示させ、表示制御装置９ｂは乗場９の表示装置９ａに診断の進捗度（２／６）を表示させる。
【００４１】
２回目のステップＳ１０の後、ルーチンは３回目のステップＳ６に進む。この３回目のステップＳ６において診断部２０ｄは、エレベータ制御装置７から通信装置４０に送られてくるエレベータの状態に係る情報に基づいて、診断項目Ｃ１〜Ｃ６のうちの３個目の診断項目Ｃ３に係る診断を実施する。この診断の結果が正常である場合（３回目のステップＳ７でＹＥＳの場合）、３回目のステップＳ８において進捗度判定部２０ｅは診断の進捗度として３／６を算出する。次に、３回目のステップＳ９において進捗度判定部２０ｅは、進捗度が６／６に達したか否かに基づいて、診断が終了したか否かの判定を行う。今回は進捗度が３／６であるので、進捗度判定部２０ｅは、診断が終了してないと判定する（３回目のステップＳ９でＮＯ）。次に、３回目のステップＳ１０において表示指令部２０ｇは、進捗度判定部２０ｅにより算出された診断の進捗度（３／６）の表示を、通信装置４０を介してエレベータ制御装置７に指令する。エレベータ制御装置７は、診断の進捗度（３／６）の表示の指令を、表示制御装置３ｂ，９ｂに送信する。これにより、表示制御装置３ｂは乗かご３の表示装置３ａに、診断の進捗度（３／６）を表示させ、表示制御装置９ｂは乗場９の表示装置９ａに診断の進捗度（３／６）を表示させる。
【００４２】
３回目のステップＳ１０の後、ルーチンは４回目のステップＳ６に進む。この４回目のステップＳ６において診断部２０ｄは、エレベータ制御装置７から通信装置４０に送られてくるエレベータの状態に係る情報に基づいて、診断項目Ｃ１〜Ｃ６のうちの４個目の診断項目Ｃ４に係る診断を実施する。この診断の結果が正常である場合（４回目のステップＳ７でＹＥＳの場合）、４回目のステップＳ８において進捗度判定部２０ｅは診断の進捗度として４／６を算出する。次に、４回目のステップＳ９において進捗度判定部２０ｅは、進捗度が６／６に達したか否かに基づいて、診断が終了したか否かの判定を行う。今回は進捗度が４／６であるので、進捗度判定部２０ｅは、診断が終了してないと判定する（４回目のステップＳ９でＮＯ）。次に、４回目のステップＳ１０において表示指令部２０ｇは、進捗度判定部２０ｅにより算出された診断の進捗度（４／６）の表示を、通信装置４０を介してエレベータ制御装置７に指令する。エレベータ制御装置７は、診断の進捗度（４／６）の表示の指令を、表示制御装置３ｂ，９ｂに送信する。これにより、表示制御装置３ｂは乗かご３の表示装置３ａに、診断の進捗度（４／６）を表示させ、表示制御装置９ｂは乗場９の表示装置９ａに診断の進捗度（４／６）を表示させる。
【００４３】
４回目のステップＳ１０の後、ルーチンは５回目のステップＳ６に進む。この５回目のステップＳ６において診断部２０ｄは、エレベータ制御装置７から通信装置４０に送られてくるエレベータの状態に係る情報に基づいて、診断項目Ｃ１〜Ｃ６のうちの５個目の診断項目Ｃ５に係る診断を実施する。この診断の結果が正常である場合（５回目のステップＳ７でＹＥＳの場合）、５回目のステップＳ８において進捗度判定部２０ｅは診断の進捗度として５／６を算出する。次に、５回目のステップＳ９において進捗度判定部２０ｅは、進捗度が６／６に達したか否かに基づいて、診断が終了したか否かの判定を行う。今回は進捗度が５／６であるので、進捗度判定部２０ｅは、診断が終了してないと判定する（５回目のステップＳ９でＮＯ）。次に、５回目のステップＳ１０において表示指令部２０ｇは、進捗度判定部２０ｅにより算出された診断の進捗度（５／６）の表示を、通信装置４０を介してエレベータ制御装置７に指令する。エレベータ制御装置７は、診断の進捗度（５／６）の表示の指令を、表示制御装置３ｂ，９ｂに送信する。これにより、表示制御装置３ｂは乗かご３の表示装置３ａに、診断の進捗度（５／６）を表示させ、表示制御装置９ｂは乗場９の表示装置９ａに診断の進捗度（５／６）を表示させる。
【００４４】
５回目のステップＳ１０の後、ルーチンは６回目のステップＳ６に進む。この６回目のステップＳ６において診断部２０ｄは、エレベータ制御装置７から通信装置４０に送られてくるエレベータの状態に係る情報に基づいて、診断項目Ｃ１〜Ｃ６のうちの６個目の診断項目Ｃ６に係る診断を実施する。この診断の結果が正常である場合（６回目のステップＳ７でＹＥＳの場合）、６回目のステップＳ８において進捗度判定部２０ｅは診断の進捗度として６／６を算出する。次に、６回目のステップＳ９において進捗度判定部２０ｅは、進捗度が６／６に達したか否かに基づいて、診断が終了したか否かの判定を行う。今回は進捗度が６／６であるので、進捗度判定部２０ｅは、診断が終了したと判定する（６回目のステップＳ９でＹＥＳ）。
【００４５】
次に、ステップＳ１１において表示指令部２０ｇは仮復旧運転中である旨の表示を、通信装置４０を介してエレベータ制御装置７に指令する。エレベータ制御装置７は、仮復旧運転中である旨の表示の指令を、表示制御装置３ｂ，９ｂに送信する。これにより、表示制御装置３ｂは乗かご３の表示装置３ａに仮復旧運転中である旨を表示させ、表示制御装置９ｂは乗場９の表示装置９ａに仮復旧運転中である旨を表示させる。
【００４６】
ステップＳ１１の次に、ステップＳ１２において仮復旧運転指令部２０ｈは、仮復旧運転を、通信装置４０を介してエレベータ制御装置７に指令し、ルーチンは終了する（ＥＮＤ）。
【００４７】
一方、ステップＳ７において診断項目Ｃ１〜Ｃ６のうちの１個目の診断項目Ｃ１に係る診断結果、または、２個目の診断項目Ｃ２に係る診断結果、または、３個目の診断項目Ｃ３に係る診断結果が異常である場合、または、４個目の診断項目Ｃ４に係る診断結果、または、５個目の診断項目Ｃ５に係る診断結果が異常である場合、または、６個目の診断項目Ｃ５に係る診断結果が異常である場合（ステップＳ７でＮＯの場合）、すなわち、乗かご３の運転再開が不可であると診断部２０ｄにより診断された場合、ステップＳ１３において通報処理部２０ｊは、診断項目Ｃ１〜Ｃ６のいずれに係る診断結果が異常であったかを示す異常情報を含む仮復旧不可情報を、外部記憶装置３０に記憶させる。
【００４８】
また、ステップＳ３において震度判定部２０ｂにより震度が５弱以下ではない（５強以上である）と判定された場合（ステップＳ３でＮＯの場合）、ステップＳ１３において通報処理部２０ｊは、震度５強の地震により仮復旧が不可である旨の仮復旧不可情報を外部記憶装置３０に記憶させる。
【００４９】
次に、ステップＳ１４において表示指令部２０ｇは、技術者の派遣を要請中である旨の表示の指令を、通信装置４０を介してエレベータ制御装置７に指令する。エレベータ制御装置７は、技術者の派遣を要請中である旨の表示の指令を、表示制御装置３ｂ，９ｂに送信する。これにより、表示制御装置３ｂは乗かご３の表示装置３ａに技術者の派遣を要請中である旨を表示させ、表示制御装置９ｂは乗場９の表示装置９ａに技術者の派遣を要請中である旨を表示させる。
【００５０】
次に、ステップＳ１５において運転休止指令部２０ｉは、乗かご３の運転休止の指令を、通信装置４０を介してエレベータ制御装置７に指令する。
【００５１】
次に、ステップＳ１６において通報処理部２０ｊは、通信装置４０を介した監視センタ５０との通信が可能であるか否かの判定を行う。この判定を通報処理部２０ｊは監視センタ５０との通信が可能と判定するまで繰り返す（ステップＳ１６でＮＯの繰り返し）。
【００５２】
ステップＳ１６において通信装置４０を介した監視センタ５０との通信が可能であると判定した場合（ステップＳ１６でＹＥＳの場合）、ステップＳ１７において通報処理部２０ｊは、外部記憶装置３０に記憶さされた仮復旧不可情報を、監視センタ５０を送信先として通信装置４０に送信させ、ルーチンは終了する（ＥＮＤ）。
【００５３】
第１実施形態に係るエレベータの監視装置１０は、図３に示す処理の他に、診断の残時間の表示に係る処理として図４に示す処理を行う。
【００５４】
図４に示すルーチンは、監視装置１０において診断運転指令部２０ｃが診断運転を通信装置４０を介してエレベータ制御装置７に指令したことを契機に開始される。
【００５５】
はじめに、ステップＳ２１において残時間算出部２０ｆは、診断運転の指令時点からの計時を開始する。
【００５６】
次に、ステップＳ２２において残時間算出部２０ｆは、診断運転の指令時点からの経過時間と、外部記憶装置３０に記憶された診断の所要時間（６０分）とに基づき、診断の残時間を算出する。
【００５７】
次に、ステップＳ２３において表示指令部２０ｇは、残時間算出部２０ｆにより算出された診断の残時間の表示を、通信装置４０を介してエレベータ制御装置７に指令する。
【００５８】
エレベータ１の状態が乗かご３の運転再開を不可とする異常のない状態である場合には、診断が終了するまで、残時間算出部２０ｆによる診断の残時間の算出と、表示指令部２０ｇによる診断の残時間の表示の指令とが繰り返される（「ステップＳ２４でＹＥＳ→ステップＳ２５でＮＯ→ステップＳ２２→ステップＳ２３」の繰り返し）。診断が終了すると（ステップＳ２５でＹＥＳ）、ステップＳ２６において表示指令部２０ｇは、診断の残時間の表示終了を、通信装置４０を介してエレベータ制御装置７に指令し、ルーチンは終了する（ＥＮＤ）。
【００５９】
一方、診断項目Ｃ１に係る診断結果、または、診断項目Ｃ２に係る診断結果、または、診断項目Ｃ３に係る診断結果、または、診断項目Ｃ４に係る診断結果、または、診断項目Ｃ５に係る診断結果、または、診断項目Ｃ６に係る診断結果が異常であった場合（ステップＳ２４でＹＥＳ）にも、ステップＳ２６において表示指令部２０ｇは、診断の残時間の表示終了を、通信装置４０を介してエレベータ制御装置７に指令し、ルーチンは終了する（ＥＮＤ）。
【００６０】
第１実施形態に係るエレベータの監視装置１０は次の効果を奏する。
【００６１】
第１実施形態に係るエレベータの監視装置１０は、地震時管制運転が行われたことによって乗かご３が停止された後に診断運転が行われる場合に、診断運転中である旨の表示をエレベータ制御装置７に指令するので、監視センタ５０からの指令を必要とすることなく、乗かご３の表示装置３ａおよび乗場９の表示装置９ａに診断運転中である旨を表示させることができる。これにより、第１実施形態係るエレベータの監視装置１０は、地震に伴う広域災害時のエレベータ１の現状として診断運転中であることを、利用者に報知することの確実性を向上させることができる。
【００６２】
第１実施形態に係るエレベータの監視装置１０は、診断の所要時間および残時間の表示をエレベータ制御装置７に指令するので、乗かご３の表示装置３ａおよび乗場９の表示装置９ａに診断の所要時間および残時間を表示させることができる。
【００６３】
第１実施形態に係るエレベータの監視装置１０は、診断の進捗度の表示をエレベータ制御装置７に指令するので、乗かご３の表示装置３ａおよび乗場９の表示装置９ａに診断の所要時間および残時間を表示させることができる。
【００６４】
第１実施形態に係るエレベータの監視装置１０は、仮復旧運転中である旨の表示をエレベータ制御装置７に指令するので、乗かご３の表示装置３ａおよび乗場９の表示装置９ａに仮復旧運転中である旨を表示させることができる。
【００６５】
第１実施形態に係るエレベータの監視装置１０は、診断項目Ｃ１〜Ｃ６のいずれに係る診断結果が異常であったかを示す異常情報を含む仮復旧不可情報を、監視センタ５０に送信するので、地震発生後の保守診断の迅速化に貢献できる。
【００６６】
［第２実施形態］
本発明の第２実施形態に係るエレベータの監視装置について図５〜図７を用いて説明する。
【００６７】
第２実施形態に係るエレベータの監視装置は図１に示す監視装置１１０である。この監視装置１１０は、ＣＰＵ、ＲＯＭ、ＲＡＭによって処理を行う処理装置１２０と、外部記憶装置１３０（本発明における記憶部に相当）と、通信装置１４０とを備える。
【００６８】
通信装置１４０は、エレベータ１の状態に係る情報をエレベータ制御装置７から受け取るものである。また、通信装置１４０は、通信回線６０を介して監視センタ５０と通信を行うものである。監視センタ５０はエレベータの技術者の出動拠点（図示してない）と通信可能であり、通信装置１４０から得た情報に応じて、エレベータ１への保守員の派遣を出動拠点に要請するものである。
【００６９】
処理装置１２０は、コンピュータプログラムにより設定された処理を行う機能部として、停止判定部１２０ａ、震度判定部１２０ｂ、診断内容決定部１２０ｋ、診断運転指令部１２０ｃ、診断部１２０ｄ、進捗度判定部１２０ｅ、残時間算出部１２０ｆ、表示指令部１２０ｇ、仮復旧運転指令部１２０ｈ、通報処理部１２０ｊとを備える。これらの機能部について次に説明していく。
【００７０】
停止判定部１２０ａは、停止判定部１２０ａは、地震計８により地震が検出された震度の情報（震度情報）と、乗かご３の停止を示す情報（停止情報）とがエレベータ制御装置７から通信装置１４０に送られてきたことに基づき、地震時管制運転により乗かご３の停止状態が所定時間保持されたか否かを判定する。具体的には、停止判定部１２０ａは、エレベータ制御装置７から通信装置１４０に震度情報が送られてきた後に、エレベータ制御装置７から通信装置１４０に停止情報が送られてきたことを、地震時管制運転により乗かご３が最寄階に停止したと判定するとともに、その後に所定時間が経過したか否かを判定する。ここで、所定時間とは、地震管制運転により乗かご３が最寄階に停止してから乗客が乗かご３から出るのに十分な時間として予め定められている。
【００７１】
震度判定部１２０ｂは、エレベータ制御装置７から通信装置４０に送信されてきた震度情報に基づき、地震計８により検出された地震の震度が３、４、５弱、５強以上のいずれであるかを判定するものである。
【００７２】
診断内容決定部１２０ｋは、震度判定部１２０ｂにより判定された震度に基づき、診断運転中に行う診断内容を、外部記憶装置１３０に予め用意された複数種類（第２実施形態においては６種類）の診断項目Ｃ１〜Ｃ６のうちから選択して決定するものである。診断項目Ｃ１〜Ｃ６は第１実施形態の場合と同じく、乗かご３の運転再開が可能か否かを診断するためのものであり、例えば、診断項目Ｃ１はワイヤーロープ５に係る診断項目であり、診断項目Ｃ２はカウンタウェイト４に係る診断項目であり、診断項目Ｃ３はブレーキに係る診断項目である。診断項目Ｃ１〜Ｃ３のそれぞれに係る診断の所要時間は１０分であり、診断項目Ｃ４の所要時間は５分であり、診断項目Ｃ５，Ｃ６のそれぞれの所要時間は１５分である。
【００７３】
外部記憶装置１３０には、震度、診断の所要時間、診断項目との関係が、例えば図６に示すテーブル１３０ａの形で記憶されている。このテーブル１３０ａにおいて、震度３に対しては、診断の所要時間２０分と、２類の診断項目Ｃ１，Ｃ２とが関連付けられている。診断の所要時間２０分は、診断項目Ｃ１，Ｃ２のそれぞれに係る診断の所要時間１０分を合計したものでる。テーブル１３０ａにおいて、震度４に対しては、診断の所要時間３０分と、３種類の診断項目Ｃ１〜Ｃ３とが関連付けられている。診断の所要時間３０分は、診断項目Ｃ１〜Ｃ３のそれぞれに係る診断の所要時間１０分を合計したものである。テーブル１３０ａにおいて、震度５弱に対しては、診断の所要時間６０分と、６種類の診断項目Ｃ１〜Ｃ６とが関連付けられている。診断の所要時間６０分は、診断項目Ｃ１〜Ｃ６のそれぞれに係る診断の所要時間（１０分、１０分、１０分、５分、１５分、１５分）を合計したものである。テーブル１３０ａにおいて、震度５強以上に対しては診断運転不可が関連付けられている。なお、診断項目Ｃ１〜Ｃ６のそれぞれに係る診断の所要時間は、平時に計時されたものである。
【００７４】
診断運転指令部１２０ｃは、地震時管制運転により乗かご３の停止状態が所定時間保持されたと停止判定部１２０ａにより判定されたタイミングで、乗かご３の運転再開が可能か否かを診断するための診断運転を、通信装置１４０を介してエレベータ制御装置７に指令するものである。
【００７５】
診断部１２０ｄは、診断運転指令部１２０ｃにより診断運転がエレベータ制御装置７に指令された後に、エレベータ制御装置７から通信装置１４０に送信されてきたエレベータの状態に係る情報に基づき、乗かご３の運転再開が可能か否かのエレベータ１の診断を行うものである。
【００７６】
震度判定部１２０ｂにより地震の震度が３と判定されたことに基づいて、診断内容決定部１２０ｋが診断項目Ｃ１〜Ｃ６のうちの診断項目Ｃ１，Ｃ２の２個のみを選択して診断内容を決定した場合、診断部１２０ｄは、それら診断項目Ｃ１，Ｃ２のそれぞれに係る診断を順次行い、それら診断項目Ｃ１，Ｃ２のそれぞれに係る診断結果が全て正常であることを乗かご３の運転再開が可能であると診断し、診断項目Ｃ１，Ｃ２のそれぞれに係る診断結果のいずれか１つでも異常であることを乗かご３の運転再開が不可であると診断する。ここで、運転再開とはエレベータ１の仮復旧を意味する。技術者による保守診断を経た後にエレベータ１は本復旧されることになる。
【００７７】
震度判定部１２０ｂにより地震の震度が４と判定されたことに基づいて、診断内容決定部１２０ｋが診断項目Ｃ１〜Ｃ６のうちの診断項目Ｃ１〜Ｃ３の３個のみを選択して診断内容を決定した場合、診断部１２０ｄは、それら診断項目Ｃ１〜Ｃ３のそれぞれに係る診断を順次行い、それら診断項目Ｃ１〜Ｃ３のそれぞれに係る診断結果が全て正常であることを乗かご３の運転再開が可能であると診断し、診断項目Ｃ１〜Ｃ３のそれぞれに係る診断結果のいずれか１つでも異常であることを乗かご３の運転再開が不可であると診断する。
【００７８】
震度判定部１２０ｂにより地震の震度が５弱と判定されたことに基づいて、診断内容決定部１２０ｋが診断項目Ｃ１〜Ｃ６の全てを選択して診断内容を決定した場合、診断部１２０ｄは、それら診断項目Ｃ１〜Ｃ６のそれぞれに係る診断を順次行い、それら診断項目Ｃ１〜Ｃ６のそれぞれに係る診断結果が全て正常であることを乗かご３の運転再開が可能であると診断し、診断項目Ｃ１〜Ｃ６のそれぞれに係る診断結果のいずれか１つでも異常であることを乗かご３の運転再開が不可であると診断する。
【００７９】
進捗度判定部１２０ｅは、診断の進捗度を算出するものである。
【００８０】
震度判定部１２０ｂにより地震の震度が３と判定されたことに基づいて、診断内容決定部１２０ｋが診断項目Ｃ１〜Ｃ６のうちの診断項目Ｃ１，Ｃ２を選択して診断内容を決定した場合、進捗度判定部１２０ｅは、診断項目Ｃ１，Ｃ２のうちの１個目の診断項目Ｃ１に係る診断結果が正常であること基づき診断の進捗度として１／２を算出し、診断項目Ｃ１，Ｃ２のうちの２個目の診断項目Ｃ２に係る診断結果が正常であることに基づき診断の進捗度として２／２を算出する。
【００８１】
震度判定部１２０ｂにより地震の震度が４と判定されたことに基づいて、診断内容決定部１２０ｋが診断項目Ｃ１〜Ｃ６のうちの診断項目Ｃ１〜Ｃ３を選択して診断内容を決定した場合、進捗度判定部１２０ｅは、診断項目Ｃ１〜Ｃ３のうちの１個目の診断項目Ｃ１に係る診断結果が正常であること基づき診断の進捗度として１／３を算出し、診断項目Ｃ１〜Ｃ３のうちの２個目の診断項目Ｃ２に係る診断結果が正常であることに基づき診断の進捗度として２／３を算出し、診断項目Ｃ１〜Ｃ３のうちの３個目の診断項目Ｃ３に係る診断結果が正常であることに基づき診断の進捗度として３／３を算出する。
【００８２】
震度判定部１２０ｂにより地震の震度が５弱と判定されたことに基づいて、診断内容決定部１２０ｋが診断項目Ｃ１〜Ｃ６の全てを選択して診断内容を決定した場合、診断項目Ｃ１〜Ｃ６のうちの１個目の診断項目Ｃ１に係る診断結果が正常であること基づき診断の進捗度として１／６を算出し、診断項目Ｃ１〜Ｃ６のうちの２個目の診断項目Ｃ２に係る診断結果が正常であることに基づき診断の進捗度として２／６を算出し、診断項目Ｃ１〜Ｃ６のうちの３個目の診断項目Ｃ３に係る診断結果が正常であることに基づき診断の進捗度として３／６を算出し、診断項目Ｃ１〜Ｃ６のうちの４個目の診断項目Ｃ４に係る診断結果が正常であることに基づき診断の進捗度として４／６を算出し、診断項目Ｃ１〜Ｃ６のうちの５個目の診断項目Ｃ５に係る診断結果が正常であることに基づき診断の進捗度として５／６を算出し、診断項目Ｃ１〜Ｃ６のうちの６個目の診断項目Ｃ６に係る診断結果が正常であることに基づき診断の進捗度として６／６を算出する。
【００８３】
また、進捗度判定部１２０ｅは、診断が終了したか否かを、進捗度に基づいて判定するものである。
【００８４】
震度判定部１２０ｂにより地震の震度が３と判定されたことに基づいて、診断内容決定部１２０ｋが診断項目Ｃ１〜Ｃ６のうちの診断項目Ｃ１，Ｃ２を選択して診断内容を決定した場合、進捗度が２／２であることを診断が終了したと判定し、進捗度が１／２以下であることを診断が終了してないと判定する。
【００８５】
震度判定部１２０ｂにより地震の震度が４と判定されたことに基づいて、診断内容決定部１２０ｋが診断項目Ｃ１〜Ｃ６のうちの診断項目Ｃ１〜Ｃ３を選択して診断内容を決定した場合、進捗度が３／３であることを診断が終了したと判定し、進捗度が２／３以下であることを診断が終了した状態ではないと判定する。
【００８６】
震度判定部１２０ｂにより地震の震度が５弱と判定されたことに基づいて、診断内容決定部１２０ｋが診断項目Ｃ１〜Ｃ６の全てを選択して診断内容を決定した場合、進捗度が６／６であることを診断が終了したと判定し、進捗度が５／６以下であることを診断が終了してないと判定する。
【００８７】
残時間算出部１２０ｆは、診断運転指令部１２０ｃにより診断運転がエレベータ制御装置７に指令された時点からの経過時間を計時するとともに、その経過時間と、外部記憶装置１３０に記憶された診断の所要時間（２０分または３０分または６０分）とに基づき、診断の残時間を算出するものである。
【００８８】
表示指令部１２０ｇは、地震計８により検出された地震の震度が３または４または５弱であると震度判定部１２０ｂにより判定されたことに基づき、診断運転中である旨の表示を、通信装置１４０を介してエレベータ制御装置７に指令するものである。また、表示指令部１２０ｇは、進捗度判定部１２０ｅにより算出された診断の進捗度の表示を、通信装置１４０を介してエレベータ制御装置７に指令するものである。また、表示指令部１２０ｇは、残時間算出部１２０ｆにより算出された残時間の表示を、通信装置１４０を介してエレベータ制御装置７に送信するものである。また、表示指令部１２０ｇは、震度判定部１２０ｂによって震度５強と判定されたことに基づき、または、診断部１２０ｄによって運転再開が不可であると診断されたことに基づき、技術者の派遣を要請中である旨の表示を通信装置１４０を介してエレベータ制御装置７に指令するものである。また、表示指令部１２０ｇは、診断部１２０ｄによって運転再開が可能と診断されたことに基づき、仮復旧運転中である旨の表示を通信装置１４０を介してエレベータ制御装置７に指令する。
【００８９】
仮復旧運転指令部１２０ｈは、乗かご３の運転再開が可能であると診断部１２０ｄにより診断されたことに基づき、仮復旧運転を通信装置１４０を介してエレベータ制御装置７に指令するものである。
【００９０】
運転休止指令部１２０ｉは、地震計８により検出された地震の震度が５強以上であると震度判定部１２０ｂによって判定されたことに基づき、または、乗かご３の運転再開が不可であると診断部１２０ｄによって診断されたことに基づき、乗かご３の運転休止を、通信装置１４０を介してエレベータ制御装置７に指令するものである。
【００９１】
通報処理部１２０ｊは、地震計８により検出された地震の震度が５強以上であると震度判定部１２０ｂによって判定されたことに基づき、震度５強以上の地震により仮復旧が不可である旨の仮復旧不可情報を外部記憶装置１３０に記憶させた後、通信装置１４０を介した監視センタ５０との通信が可能であるか否かの判定を行い、通信が可能であると判定した場合に、その仮復旧不可情報を、監視センタ５０を送信先として通信装置１４０に送信させるものである。また、通報処理部１２０ｊは、乗かご３の運転再開が不可であると診断部１２０ｄによって診断されたときに、診断項目Ｃ１〜Ｃ６のいずれに係る診断結果が異常であったかを示す異常情報を含む仮復旧不可情報を外部記憶装置１３０に記憶させた後、通信装置１４０を介した監視センタ５０との通信が可能であるか否かの判定を行い、通信が可能であると判定した場合に、その仮復旧不可情報を、監視センタ５０を送信先として通信装置１４０に送信させるものである。
【００９２】
このように構成された第２実施形態に係るエレベータの監視装置１１０は、図７に示す処理を行う。
【００９３】
図７に示すルーチンは、エレベータ制御装置７からの震度情報が通信装置１４０により受信されたことを契機に開始される。
【００９４】
はじめに、ステップＳ３１において停止判定部１２０ａは、エレベータ制御装置７から通信装置１４０に送られてきた震度情報および停止情報に基づいて、乗かご３が停止したか否かの判定を行う。この判定は、地震時管制運転により乗かご３が最寄階に停止するまで繰り返されることになる。
【００９５】
ステップＳ３１において乗かご３が停止したと判定した後（ステップＳ３１でＹＥＳ）、ステップＳ３２において停止判定部１２０ａは、所定時間が経過するまで、所定時間が経過したか否かの判定を繰り返す。
【００９６】
ステップＳ３２において所定時間が経過したと停止判定部１２０ａにより判定されると、ルーチンはステップＳ３３に進み、このステップＳ３３において震度判定部１２０ｂが、震度情報に基づき、地震計８により検出された地震の震度が３、４、５弱、５強以上のいずれであるかの判定を行い、震度が５弱以下（震度３または４または５弱）である場合（ステップＳ３３でＹＥＳの場合）、ルーチンはステップＳ３４に進む。
【００９７】
ステップＳ３４において診断内容決定部１２０ｋは、震度判定部１２０ｂにより判定された震度に基づいて診断項目Ｃ１〜Ｃ６のうちから診断項目を選択して診断内容を決定する。つまり、震度判定部１２０ｂにより判定された震度が３である場合、診断内容決定部１２０ｋは診断項目Ｃ１〜Ｃ６のうちから診断項目Ｃ１，Ｃ２の２個のみを選択して診断内容を決定し、震度判定部１２０ｂにより判定された震度が４である場合、診断内容決定部１２０ｋは診断項目Ｃ１〜Ｃ６のうちから診断項目Ｃ１〜Ｃ３の３個のみを選択して診断内容を決定し、震度判定部１２０ｂにより判定された震度が５弱である場合、診断内容決定部１２０ｋは診断項目Ｃ１〜Ｃ６の全てを選択して診断内容を決定する。本説明においては、例えば、診断内容決定部１２０ｋは診断項目Ｃ１〜Ｃ６のうちから診断項目Ｃ１〜Ｃ３の３個のみを選択して診断内容を決定したとする。
【００９８】
次に、ステップＳ３５において表示指令部１２０ｇは診断運転中である旨の表示、および、診断の所要時間（３０分）の表示を、通信装置１４０を介してエレベータ制御装置７に指令する。エレベータ制御装置７は、診断運転中である旨の表示の指令、および、診断の所要時間（３０分）の表示の指令を、表示制御装置３ｂ，９ｂに送信する。これにより、表示制御装置３ｂは乗かご３の表示装置３ａに診断運転中である旨、および、診断の所要時間（３０分）を表示させ、表示制御装置９ｂは乗場９の表示装置９ａに診断運転中である旨、および、診断の所要時間（３０分）を表示させる。
【００９９】
ステップＳ３６において診断運転指令部１２０ｃは、通信装置１４０を介してエレベータ制御装置７に診断運転を指令する。
【０１００】
次に、ステップＳ３７において診断部１２０ｄは、エレベータ制御装置７から通信装置１４０に送られてくるエレベータの状態に係る情報に基づいて、診断項目Ｃ１〜Ｃ３のうちの１個目の診断項目Ｃ１に係る診断を実施する。この診断の結果が正常である場合（ステップＳ３８でＹＥＳの場合）、ステップＳ３９において進捗度判定部１２０ｅは診断の進捗度として１／３を算出する。次に、ステップＳ４０において進捗度判定部１２０ｅは、進捗度が３／３に達したか否かに基づいて、診断が終了したか否かの判定を行う。今回は進捗度が１／３であるので、進捗度判定部１２０ｅは、診断が終了してないと判定する（ステップＳ４０でＮＯ）。次に、ステップＳ４１において表示指令部１２０ｇは、進捗度判定部１２０ｅにより算出された診断の進捗度（１／３）の表示を、通信装置１４０を介してエレベータ制御装置７に指令する。エレベータ制御装置７は、診断の進捗度（１／３）の表示の指令を、表示制御装置３ｂ，９ｂに送信する。これにより、表示制御装置３ｂは乗かご３の表示装置３ａに、診断の進捗度（１／３）を表示させ、表示制御装置９ｂは乗場９の表示装置９ａに診断の進捗度（１／３）を表示させる。
【０１０１】
ステップＳ４１の後、ルーチンは２回目のステップＳ３７に進む。この２回目のステップＳ３７において診断部１２０ｄは、エレベータ制御装置７から通信装置１４０に送られてくるエレベータの状態に係る情報に基づいて、診断項目Ｃ１〜Ｃ３のうちの２個目の診断項目Ｃ２に係る診断を実施する。この診断の結果が正常である場合（２回目のステップＳ３８でＹＥＳの場合）、２回目のステップＳ３９において進捗度判定部１２０ｅは診断の進捗度として２／３を算出する。次に、２回目のステップＳ４０において進捗度判定部１２０ｅは、進捗度が３／３に達したか否かに基づいて、診断が終了したか否かの判定を行う。今回は進捗度が２／３であるので、進捗度判定部１２０ｅは、診断が終了してないと判定する（２回目のステップＳ４０でＮＯ）。次に、２回目のステップＳ４１において表示指令部１２０ｇは、進捗度判定部１２０ｅにより算出された診断の進捗度（２／３）の表示を、通信装置１４０を介してエレベータ制御装置７に指令する。エレベータ制御装置７は、診断の進捗度（２／３）の表示の指令を、表示制御装置３ｂ，９ｂに送信する。これにより、表示制御装置３ｂは乗かご３の表示装置３ａに、診断の進捗度（２／３）を表示させ、表示制御装置９ｂは乗場９の表示装置９ａに診断の進捗度（２／３）を表示させる。
【０１０２】
２回目のステップＳ４１の後、ルーチンは３回目のステップＳ３７に進む。この３回目のステップＳ３７において診断部１２０ｄは、エレベータ制御装置７から通信装置１４０に送られてくるエレベータの状態に係る情報に基づいて、診断項目Ｃ１〜Ｃ３のうちの３個目の診断項目Ｃ３に係る診断を実施する。この診断の結果が正常である場合（３回目のステップＳ３８でＹＥＳの場合）、３回目のステップＳ３９において進捗度判定部１２０ｅは診断の進捗度として３／３を算出する。次に、３回目のステップＳ４０において進捗度判定部１２０ｅは、進捗度が３／３に達したか否かに基づいて、診断が終了したか否かの判定を行う。今回は進捗度が３／３であるので、進捗度判定部１２０ｅは、診断が終了したと判定する（３回目のステップＳ４０でＹＥＳ）。
【０１０３】
次に、ステップＳ４２において表示指令部１２０ｇは仮復旧運転中である旨の表示を、通信装置１４０を介してエレベータ制御装置７に指令する。エレベータ制御装置７は、仮復旧運転中である旨の表示の指令を、表示制御装置３ｂ，９ｂに送信する。これにより、表示制御装置３ｂは乗かご３の表示装置３ａに仮復旧運転中である旨を表示させ、表示制御装置９ｂは乗場９の表示装置９ａに仮復旧運転中である旨を表示させる。
【０１０４】
ステップＳ４２の次に、ステップＳ４３において仮復旧運転指令部１２０ｈは仮復旧運転を、通信装置１４０を介してエレベータ制御装置７に指令し、ルーチンは終了する。
【０１０５】
一方、ステップＳ３８において診断部１２０ｄによる診断の結果が異常である場合（ステップＳ３８でＮＯの場合）、すなわち、診断項目Ｃ１〜Ｃ３のうちの１個目の診断項目Ｃ１に係る診断結果、または、２個目の診断項目Ｃ２に係る診断結果、または、３個目の診断項目Ｃ３に係る診断結果が異常である場合、すなわち、乗かご３の運転再開が不可であると診断部１２０ｄにより診断された場合、ステップＳ４４において通報処理部１２０ｊは、診断項目Ｃ１〜Ｃ３のいずれに係る診断結果が異常であったかを示す異常情報を含む仮復旧不可情報を、外部記憶装置１３０に記憶させる。
【０１０６】
また、ステップＳ３３において震度判定部１２０ｂにより判定された震度が５強以上である場合（ステップＳ３３でＮＯの場合）、ステップＳ４４において通報処理部１２０ｊは、震度５強の地震により仮復旧が不可である旨の仮復旧不可情報を外部記憶装置１３０に記憶させる。
【０１０７】
次に、ステップＳ４５において表示指令部１２０ｇは、技術者の派遣を要請中である旨の表示の指令を、通信装置１４０を介してエレベータ制御装置７に指令する。エレベータ制御装置７は、技術者の派遣を要請中である旨の表示の指令を、表示制御装置３ｂ，９ｂに送信する。これにより、表示制御装置３ｂは技術者の派遣を要請中である旨を表示させ、表示制御装置９ｂは乗場９の表示装置９ａに技術者の派遣を要請中である旨を表示させる。
【０１０８】
次に、ステップＳ４６において運転休止指令部１２０ｉは、乗かご３の運転休止の指令を、通信装置１４０を介してエレベータ制御装置７に指令する。
【０１０９】
次に、ステップＳ４７において通報処理部１２０ｊは、通信装置１４０を介した監視センタ５０との通信が可能であるか否かの判定を行う。この判定を通報処理部１２０ｊは監視センタ５０との通信が可能と判定するまで繰り返す（ステップＳ４７でＮＯの繰り返し）。
【０１１０】
ステップＳ４７において通信装置１４０を介した監視センタ５０との通信が可能であると判定した場合（ステップＳ４７でＹＥＳの場合）、通報処理部１２０ｊは、外部記憶装置１３０に記憶さされた仮復旧不可情報を、監視センタ５０を送信先として通信装置１４０に送信させ、ルーチンは終了する。
【０１１１】
なお、ステップＳ３４において、診断内容決定部１２０ｋが診断項目Ｃ１〜Ｃ６のうちから診断項目Ｃ１，Ｃ２の２個のみを選択して診断内容を決定した場合のルーチン、および、診断内容決定部１２０ｋが診断項目Ｃ１〜Ｃ６の全てを選択して診断内容を決定した場合のルーチンは、診断内容決定部１２０ｋが診断項目Ｃ１〜Ｃ６のうちから診断項目Ｃ１〜Ｃ３の３個のみを選択して診断内容を決定した前述の場合のルーチンと同様なので、それらのルーチンの説明を省略する。
【０１１２】
第２実施形態に係るエレベータの監視装置１１０においては、図７に示した処理の他に、診断の残時間の表示に係る処理として、図４に示した処理と同様の処理を行う。
【０１１３】
第２実施形態に係るエレベータの監視装置１０は次の効果を奏する。
【０１１４】
第２実施形態に係るエレベータの監視装置１１０は、地震に伴う広域災害時に、診断運転中である旨の表示をエレベータ制御装置７に指令するので、監視センタ５０からの指令を必要とすることなく、乗かご３の表示装置３ａおよび乗場９の表示装置９ａに診断運転中である旨を表示させることができる。これにより、第２実施形態係るエレベータの監視装置１０は、地震に伴う広域災害時のエレベータ１の現状として診断運転中であることを、利用者に報知することの確実性を向上させることができる。
【０１１５】
第２実施形態に係るエレベータの監視装置１１０は、診断の所要時間および残時間の表示をエレベータ制御装置７に指令するので、乗かご３の表示装置３ａおよび乗場９の表示装置９ａに診断の所要時間および残時間を表示させることができる。
【０１１６】
第２実施形態に係るエレベータの監視装置１１０は、仮復旧運転中である旨の表示をエレベータ制御装置７に指令するので、乗かご３の表示装置３ａおよび乗場９の表示装置９ａに仮復旧運転中である旨を表示させることができる。
【０１１７】
第２実施形態に係るエレベータの監視装置１１０は、診断項目Ｃ１〜Ｃ６のいずれに係る診断結果が異常であったかを示す異常情報を含む仮復旧不可情報を、監視センタ５０に送信するので、地震発生後の保守診断の迅速化に貢献できる。
【０１１８】
第２実施形態に係るエレベータの監視装置１１０は、地震の震度が３である場合には６種類の診断項目Ｃ１〜Ｃ６のうちから診断項目Ｃ１，Ｃ２の２個のみを選択して診断内容を決定し、地震の震度が４である場合には６種類の診断項目Ｃ１〜Ｃ６のうちから診断項目Ｃ１〜Ｃ３の３個のみを選択して診断内容を決定し、地震の震度が５弱である場合には６種類の診断項目Ｃ１〜Ｃ６の全てを選択して診断内容を決定する。これにより、震度３または４の地震後に行われる診断の所要時間を、震度５弱の地震後に行われる診断の所要時間よりも短縮でき、また、震度３の地震後に行われる診断の所要時間を、震度４の地震後に行われる診断の所要時間よりも短縮できる。
【０１１９】
なお、前述の第１実施形態に係るエレベータの監視装置１０は残時間算出部２０ｆを備え、前述の第２実施形態に係るエレベータの監視装置１１０は残時間算出部１２０ｆを備え、これら残時間算出部２０ｆ，１２０ｆは診断の残時間を算出するものであるが、残時間算出部２０ｆ，１２０ｆの代替手段として、診断の所要時間と、診断運転の指令時点からの経過時間と、リアルタイムクロックから得られる現在時刻と基づいて診断運転の終了予定時刻を算出する終了予定時刻算出部を備えるものであってもよい。この場合、第１実施形態における表示指令部２０ｇは終了予定時刻の表示を、通信装置４０を介してエレベータ制御装置７に指令するものである必要があり、第２実施形態における表示指令部１２０ｇは終了予定時刻の表示を、通信装置１４０を介してエレベータ制御装置７に指令するものである必要がある。
【符号の説明】
【０１２０】
１  エレベータ
３  乗かご
３ａ  表示装置
７  エレベータ制御装置
８  地震計
９  乗場
９ａ  表示装置
１０  監視装置
２０  処理装置
２０ａ  停止判定部
２０ｂ  震度判定部
２０ｃ  診断運転指令部
２０ｄ  診断部
２０ｅ  進捗度判定部
２０ｆ  残時間算出部
２０ｇ  表示指令部
２０ｈ  仮復旧運転指令部
２０ｉ  運転休止指令部
２０ｊ  通報処理部
３０  外部記憶装置
３０ａ  テーブル
４０  通信装置
５０  監視センタ
６０  通信回線
１１０  監視装置
１２０  処理装置
１２０ａ  停止判定部
１２０ｂ  震度判定部
１２０ｃ  診断運転指令部
１２０ｄ  診断部
１２０ｅ  進捗度判定部
１２０ｆ  残時間算出部
１２０ｇ  表示指令部
１２０ｈ  仮復旧運転指令部
１２０ｉ  運転休止指令部
１２０ｊ  通報処理部
１２０ｋ  診断内容決定部
１３０  外部記憶装置
１３０ａ  テーブル
１４０  通信装置
【図１】
2015074540.tif 000003
【図２】
2015074540.tif 000004
【図３】
2015074540.tif 000005
【図４】
2015074540.tif 000006
【図５】
2015074540.tif 000007
【図６】
2015074540.tif 000008
【図７】
2015074540.tif 000009